(57)【要約】【課題】工事現場で多用される仮設通路用の敷き鉄板を再使用に備えて安全かつ経済的に汚れを除去する敷き洗浄装置を提供する。【解決手段】泥などで汚れた敷き鉄板が再使用に備えて資材置き場などから待機ステーション１０に運搬される。重量の大きい敷き鉄板２は待機ステーション１０に例えば１０枚程度平積みされ、平積みされた上の敷き鉄板２から一枚ずつその鉄板表面に第１移動手段３０の吸着パッド３３（保持手段）でローラコンベア１１の搬送開始位置まで移動して位置決めする。洗浄機２０において洗浄が敷き鉄板の上からと下から表裏両面を同時に洗浄する。で洗浄済みの敷き鉄板２はローラコンベア１１の終了位置まで運ばれ、第２移動手段４０の吸着パッド４３（保持手段）で受取ステーション１２に移動させる。この作業手順を１０枚程度ずつ繰り返し、洗浄作業を安全かつ能率的に行う。【選択図】図１
2015080783.tif 000002
【特許請求の範囲】
【請求項１】
搬送ローラ装置と、
前記搬送ローラ装置の搬送開始位置に隣接して設けられた待機ステーションと、
前記搬送ローラ装置の搬送終了位置に隣接して設けられた受取ステーションと、
運搬されてきて前記待機ステーション上に平積みされた敷き鉄板を一枚ずつ鉄板表面に吸着して前記搬送ローラ装置の搬送開始位置まで移動して載置する第１移動手段と、
前記搬送ローラ装置の搬送方向の中間位置に跨いで配置され、搬送されてきた前記敷き鉄板の表裏面に同時に洗浄液水を噴射させて鉄板表面の汚れを除去する洗浄機と、
前記洗浄機で洗浄を終えて前記搬送ローラ装置の搬送終了位置に搬送されてきた前記敷き鉄板を吸着して前記受取ステーションに載置する第２移動手段と、
を含んで構成されたことを特徴とする敷き鉄板洗浄装置。
【請求項２】
前記第１および第２移動手段が、前記敷き鉄板の一枚を磁力または負圧力によって吸着する保持手段を備えていることを特徴とする請求項１記載の敷き鉄板洗浄装置。
【請求項３】
前記洗浄機は、前記敷き鉄板に噴射して汚れ成分を除去した前記洗浄液水の貯留槽を有し、貯留槽中の洗浄液水をろ過して循環させて噴射に再使用するための循環ポンプを含む循環路を有することを特徴とする請求項１記載の敷き鉄板洗浄装置。
【請求項４】
前記洗浄機が跨ぐ部分を含めて前記搬送ローラ装置は搬送開始位置から搬送終了位置に至る部分の搬送部に勾配を設けていることを特徴とする請求項１に記載の敷き鉄板洗浄装置。
【請求項５】
晴天時に装置全体を開放および雨天時に装置全体を閉塞可能な仮設建屋を備えたことを特徴とする請求項１乃至４のいずれか１つに記載の敷き鉄板洗浄装置。
【発明の詳細な説明】
【技術分野】
【０００１】  本発明は、特に土木建築工事現場において通行路に敷きつめて建機や重機が円滑に走行するための仮設通路として用いる敷き鉄板に関する。さらに詳しくは、既設の路面を重機の通行で傷めないように保護するための敷き鉄板が工事期間中その表面に付着した泥や汚れを除去して再使用に備えるための洗浄装置に関する。
【背景技術】
【０００２】  敷き鉄板はそのほとんどが建設資材として工事施工者にレンタルやリースされる。工事が長期にわたるほどレンタル期間も長く、その間に敷き鉄板による路面上を重機などが往来する台数量も相当数にのぼり、敷き鉄板は傷みや汚れが増す。工事終了後は、再使用に備えて敷き鉄板の表面の汚れを洗浄して除去する必要がある。【０００３】  そうした敷き鉄板の洗浄作業は、通常レンタル業者の資材置き場において作業者の手作業で行うのを通例としており、工事現場から返却されてきた膨大な枚数量の敷き鉄板の汚れを数人の専業作業者が水道水や工業用水を高圧に噴射させて除去する。【０００４】  しかしながら、人手を介して行う旧来の洗浄作業は、大量の水道水などを必要とするために不経済であり、作業後の汚泥水が河川などに流入しては環境問題にもなる。また、常用される敷き鉄板の多くは１トンから２トン前後であることから、そうした重量物を一枚ずつ洗浄作業は非常に重労働である。そのため、一日当たりの洗浄処理枚数も作業者一人で４０枚から５０枚が限界である。工事現場から戻る数百枚以上にものぼる膨大な量の枚数を再使用に備えて処理するのでは能率が上がらず、作業コストが負担になっている。【０００５】  かかる従来の洗浄作業の能率および安全面等の問題の解消にむけて提案された装置がある（特許文献１参照）。また、同様な問題の解消にむけて提案された鉄板洗浄機がある（特許文献２参照）。【０００６】
【特許文献１】実用新案登録第３１８１５５８号公報
【特許文献２】実用新案登録第３１４４６６８号公報
【発明の開示】
【発明が解決しようとする課題】
【０００７】  しかしながら、上記特許文献１にあっては以下の問題点が解決されていない。洗浄ワークとなる敷き鉄板を人力に代わるクレーンやフォークリフトで一枚ずつ装置に搬入搬出している点である。確かに人力による重労働は軽減されるが、一日当たりの洗浄処理能力は大きく改善されない。また、上記特許文献２の場合、重量物の鉄板を平積みから一枚ずつ起こして立て、その状態で板厚をフック爪で掴んでワイヤー掛けし、クレーンで持ち上げて装置まで搬入搬出している。これを安全性から考えると、起こして立てた鉄板を板厚方向から掴んで起重するのでは、フック爪の外れによる鉄板落下といった不測の事態を招きかねない。くわえて、かかるクレーン起重による搬入搬出では人力作業が軽減されても特許文献１と同様、一日当たりの洗浄処理能力の大きな改善は望めない。【０００８】  そこで、上記問題点を解消するために本発明の目的は、工事現場で多用される仮設通路用の敷き鉄板を再使用に備えて安全かつ経済的に汚れを除去する敷き洗浄装置を提供することにある。
【課題を解決するための手段】
【０００９】  上記目的を達成するために、本発明に係る代表的な請求項１記載の敷き鉄板の洗浄装置は、搬送ローラ装置と、前記搬送ローラ装置の搬送開始位置に隣接して設けられた待機ステーションと、前記搬送ローラ装置の搬送終了位置に隣接して設けられた受取ステーションと、運搬されてきて前記待機ステーション上に積載された敷き鉄板を一枚ずつ鉄板表面に吸着して前記搬送ローラ装置の搬送開始位置まで移動して載置する第１移動手段と、前記搬送ローラ装置の搬送方向の中間位置に跨いで配置され、搬送されてきた前記敷き鉄板の表裏面に同時に洗浄液水を噴射させて鉄板表面の汚れを除去する洗浄機と、前記洗浄機で洗浄を終えて前記搬送ローラ装置の搬送終了位置に搬送されてきた前記敷き鉄板を吸着して前記受取ステーションに載置する第２移動手段と、を含んで構成されたことを特徴とする。
【発明の効果】
【００１０】  本発明の代表的な請求項１記載の敷き鉄板洗浄装置によれば、特に重量の大きい敷き鉄板を待機ステーションに平積みされた状態から上から一枚ずつその鉄板表面に吸着して第１移動手段で搬送ローラ装置の搬送開始位置まで運び、洗浄機で洗浄済みの敷き鉄板を今度は第２移動手段で受取ステーションに運んで洗浄を終了し、これを繰り返すので洗浄作業を安全かつ能率的に行うことができる。
【発明を実施するための最良の形態】
【００１１】  以下、本発明による敷き鉄板洗浄装置の好適な実施形態について図を参照して説明する。なお、以下の説明は好適な一実施形態であるが、本発明の思想を満足する範囲内であればかかる一実施形態に限定されることなく他の実施形態も可能である。【００１２】  本装置の一実施形態として、図１はその全体を示し、図２はその側面図、図３は装置全体のレイアウトを概略的に示す平面図である。そして、図４（ａ），（ｂ）は本装置に用いられる洗浄対象ワークである敷き鉄板の大きさを示し、幅と長さが１５００ｍｍ×３０００ｍｍの敷き鉄板１と、１５００ｍｍ×６０００ｍｍの敷き鉄板２の二種類が示されている。ちなみに、長さの最大寸法は６０００ｍｍのものが一般に慣用されている。両方とも板厚はｔ＝２２ｍｍが多用され、３０００ｍｍ長さの敷き鉄板１は重量８００ｋｇ、６０００ｍｍ長さの敷き鉄板２は重量１６００ｋｇである。【００１３】  図３のレイアウト図を参照する。本装置は待機ステーション１０が設けられ、資材置き場で図５（ａ），（ｂ）のように平積みされてこれから洗浄される敷き鉄板１または２を一枚ずつフォークリフトなどの荷役機械を使用して運び込まれる。図１は、待機ステーション１０に例えば１０枚程度の敷き鉄板２を運んで載置した状態を示している。待機ステーション１０に隣接してローラコンベア（搬送ローラ装置）１１が設けられ、待機ステーション１０の真横であるローラコンベア１１の搬送方向の上流側が「開始位置」となる。この開始位置の架台フレーム上のローラコンベア部１１ａから下流側に向かって適度な勾配が設けられたテーパー送りコンベア部１１ｂとなっている。テーパー送りコンベア部１１ｂの最下流側は「終了位置」となっている。この終了位置の真横には受取ステーション１２が設けられている。【００１４】  したがって、図３で説明したように、洗浄対象ワークである敷き鉄板１，２は待機ステーション１０に運び込まれてから一枚ずつローラコンベア部１１ａの開始位置に移され、洗浄が開始されてローラコンベア１１で最下流側の終了位置に運ばれ、ここから受取ステーション１２に移される。これが洗浄ワークのスタートから終了までの搬送経路となる。【００１５】  再び図１および図２を参照して、上記ローラコンベア１１の中間部所にこれを跨ぐようにして図６（ａ）〜（ｃ）に示す洗浄機２０が配置されている。図６（ａ）に示すように、ローラコンベア１１によって開始位置から送られてきた敷き鉄板１（または２）は洗浄機２０の本体ハウジング２１を潜るようにして通過し、通過中に洗浄液水２２が図６（ｂ）に示すように対向する上下から噴射されて汚れを落とす。洗浄液水２２は図６（ｃ）に示すように循環路２３を循環ポンプ２４によって循環するようになっている。循環する洗浄液水２２は、たとえば図７（ａ），（ｂ）に示す構造の噴射ノズル装置２５の二基をハウジング２１の上下位置に対向させて配置し、高圧の洗浄液水２２を敷き鉄板１（または２）の表裏面に同時に噴射して汚れを除去する仕組みになっている。【００１６】  噴射ノズル装置２５については、角パイプなどを用いた本管２５ａの他端側を閉塞した一端側から循環ポンプ２４で圧送して発生させた高圧の洗浄液水２２��送り込み、横並びに設けた多数の噴射ノズル２５ｂから噴射させる。複数の噴射ノズル２５ｂから均等かつ有効な水圧の洗浄液水２２が噴射されるよう、本管２５ａに連通する分岐管２５ｃを設けて本管２５ａの全長にわたって水圧が均等に作用させることができる。洗浄液水２２が有効に噴射される構造であれば、図７（ａ），（ｂ）に示す構造に限定されるものではない。【００１７】  つぎに、図１〜図３を参照して待機ステーション１０から開始位置への移動、そして終了位置から受取ステーション１２への移動を行う二基のクレーン装置（第１，第２移動手段）３０，４０について説明する。【００１８】  図１および図２に示すように、ローラコンベア１１に直交する方向に走行ガイドフレーム３１，４１が設けられ、これら走行ガイドフレーム３１，４１に案内されて電動ホイスト型または手動巻き上げ型のクレーン３２，４２が往復動するようになっている。走行ガイドフレーム３１，４１はローラコンベア１１による搬送方向への移動を可能とすることもできる。したがって、クレーン３２，４２は上下方向への昇降動とともに座標軸でいうＸＹ軸方向への移動も可能に構成することができる。これら二基のクレーン３２，４２には吸着パッド装置（保持手段）３３，４３が吊り下げられている。図８（ａ）に示すように、吸着パッド装置３３，４３は、たとえばエア負圧または磁石による磁力を利用して敷き鉄板２の表面に吸着させ、クレーン３２，４２による巻き上げ作動によって持ち上げることができる。そうした吸着手段で例えば、５００ｍｍ程度の高さに持ち上げた敷き鉄板２を開始位置まで１０００ｍｍから２０００ｍｍ程度の距離だけ横移動させ、ローラコンベア１１の開始位置に位置決めされる。待機ステーション１０上に積載された１０数枚程度の敷き鉄板２を常にローラコンベア１１の開始位置のレベルに合わせるために、図８（ｂ）に示すように、待機ステーション１０自体をリフト装置式にすることもできる。【００１９】  位置決め後はローラコンベア１１のテーパー送りコンベア部１１ｂの傾斜勾配を利用して洗浄機２０に送り、ここで鉄板表裏の汚れ高圧の洗浄液水２２で洗浄する。洗浄後の敷き鉄板２が終了位置まで移動する間、鉄板表面に付着した洗浄液水２２はテーパー送りコンベア部１１ｂの傾斜を利用して自然落下し、落下した洗浄液水２２を下方に配置してある貯留槽５０で受け止めて溜める。貯留槽５０内に溜められた洗浄液水２２中には泥などの汚れ成分が混じっている。この汚れ成分は洗浄機２０の循環ポン２４が作動して循環路２３を循環中にフィルタ（図示略）でろ過され、噴射ノズル装置２５に送られて再使用される。【００２０】  さらに、洗浄を終えて終了位置に達した敷き鉄板２は吸着パッド装置４３で持ち上げられ、走行ガイドフレーム４１に案内されて受取ステーション１２上に移動して積載され、ここからつぎのレンタルやリースなどの使用目的のために資材置き場などに運搬して保管される。【００２１】  なお、本発明の思想や主旨を逸脱しない範囲内でその他の実施形態、応用例、変形例、そしてそれらの組み合わせも可能である。たとえば、ローラコンベア１１を電動駆動させて敷き鉄板２を適度な搬送速度で送ることができる。また���ローラコンベア１１の搬送路に設けた勾配についてもその傾斜角度は好適に設定される。すなわち、勾配の傾斜角度によって搬送中の敷き鉄板２の送りが早過ぎず遅からずになるようにする。しかも、敷き鉄板２に吹き付けた洗浄液水２２が自然に流れ落ちるようにローラコンベア１１による搬送路の勾配を好適に設定する必要がある。洗浄液水２２の自然落下に加えて、高圧エアを敷き鉄板２の表面に吹き付けて洗浄液水２２を強制落下させるエアブロー構造とすることも可能である。【００２２】  また、応用例として図９に示すように、雨天時や降雪時の作業を可能にするために本装置全体を伸縮自在な蛇腹式仮設建屋６０で覆って保護することができる。この思想を応用した他例として、かかる蛇腹式仮設建屋６０を敷設しない場合は、図１で示した走行ガイドフレーム３１，４１を設けるためのＨ型鋼構造などによる櫓７０を利用し、この櫓７０全体を簡易かつ迅速にシートで覆って仮設建屋とすることもできる。
【図面の簡単な説明】
【００２３】
【図１】本発明による敷き鉄板洗浄装置の全体を示す斜視図。
【図２】同装置全体を示す側面図。
【図３】同装置の全体のレイアウトを概略的に示す平面図。
【図４】同図（ａ），（ｂ）は洗浄ワークである敷き鉄板の二種類を示す平面図。
【図５】同図（ａ），（ｂ）は敷き鉄板を平積みした状態を示す斜視図と側面図。
【図６】同図（ａ）〜（ｃ）は洗浄装置を示す斜視図と表裏面同時洗浄を示すも模式図と循環ポンプによる循環の模式図。
【図７】同図（ａ），（ｂ）は噴射ノズル装置の平面図と正面図。
【図８】同図（ａ），（ｂ）は敷き鉄板を一枚ずつ吸着して持ち上げる形態を示す側面図と搬送レベルまで押し上げるリフト装置を示す側面図。
【図９】本装置全体を保護する仮設建屋の一例を示す斜視図。
【符号の説明】
【００２４】  １，２      ・・・洗浄対象の敷き鉄板
１０        ・・・待機ステーション
１１        ・・・搬送ローラ装置
１１ａ      ・・・架台フレーム
１１ｂ      ・・・テーパー送りローラコンベア
１１        ・・・受取ステーション
２０        ・・・洗浄機
２１        ・・・洗浄機ハウジング
２２        ・・・洗浄液水
２３        ・・・洗浄液水の循環路
２４        ・・・循環ポンプ
３０        ・・・第１移動手段
３１        ・・・走行ガイド
３２        ・・・吸着パッドクレーン
３３        ・・・吸着パッド（保持手段）
４０        ・・・第２移動手段
４１        ・・・走行ガイド
４２        ・・・吸着パッドクレーン
４３        ・・・吸着パッド（保持手段）
５０        ・・・洗浄液水貯留槽
【図１】
2015080783.tif 000003
【図２】
2015080783.tif 000004
【図３】
2015080783.tif 000005
【図４】
2015080783.tif 000006
【図５】
2015080783.tif 000007
【図６】
2015080783.tif 000008
【図７】
2015080783.tif 000009
【図８】
2015080783.tif 000010
【図９】
2015080783.tif 000011